(57)【特許請求の範囲】
【請求項１】
駆動軸に設けられた輪がその一面上に固定されてかつ回転時に装置に導入された塊状物を駆動する複数のマレットを有しており、輪の周りでフレームにより画定された周縁チャンネル内においてマレットの回転により塊状物が駆動され、周縁チャンネルの周縁開口を通って駆動された塊状物が投排除方向に放出され、フレームの前開口を通って塊状物が装置内に供給されるごとき石、土および砂利などの塊状物を扱う装置であって、輪が慣性輪であって塊状物を打撃するマレットを有しており、駆動軸に垂直な面内で投排除方向の角度選択のために周縁開口を位置させるべくフレームが回動可能であることを特徴とする塊状物の遠心投排除装置。
【請求項２】
水平面内で投排除方向を角度選択するために駆動軸に垂直な垂直軸の周りに回動を与える支持部材上にフレームが設けられていることを特徴とする請求項１に記載の装置。
【請求項３】
輪には駆動軸とマレットの間に粉砕要素が設けられており、各粉砕要素が、前開口を通って装置内に供給された塊状物を破壊することのできる衝撃を与えるエッジを有していることを特徴とする請求項１または２に記載の装置。
【請求項４】
各粉砕要素が駆動軸に関して半径方向に延在しかつ円周方向に整列されていることを特徴とする請求項３に記載の装置。
【請求項５】
輪がその両面上に固定されてかつ装置に導入された塊状物を駆動する複数のマレットを有しており、フレームの両側に１対の前開口を有していることを特徴とする請求項１〜４のいずれか一項に記載の装置。
【発明の詳細な説明】
【０００１】
この発明は鉱山や森林や農場などから出る石や土や砂利などの塊状物を遠くに投排除（投げることによりある場所から排除すること）できる遠心投排除機械に関するものである。
【０００２】
従来技術にあっては、種々の目的に応じた塊状物の投排除機が知られている。これらには消火機が主なものであって、しかし現存する全んどのこのタイプのものは小さなサイズの塊状物を扱うものであり、投排除機に導入する前に選択的なスクリーン掛けをする必要がある。
【０００３】
特許ＥＳ２０１１５２２号，ＥＳ２１１１４４９号や特許ＵＳ２５６１７０１号，ＵＳ４８５２６５６号，ＵＳ５２１４８６７号などの機械がその例であって、投排除機の前に具えたスクリーンにより塊状物のサイズを選択し、最も細かいもののみを通して、スペイン実案第９３９３１０４号の場合のようにブレードローターによりまたは空気駆動手段により投排除している。
【０００４】
上記の機械にあっては、放出出口は固定式または方向の決まった導路により構成されている。このために塊状物の放出が制動されて到達距離が限定される。
【０００５】
また「除石機械」と呼ばれる機械も知られている。これは主として農業に用いられるもので、耕地から大きな石を除く。これにはマレットまたはハンマーなどの機構が用いられ、石を打解してやるが、残留物は機械の位置する場所に残し、投排除するものではない。例えばスペイン実案第９６０１３２２号、アメリカ特許第４８１９８８６号およびＤＥ２８２６１９１号のものなどがある。
【０００６】
ＧＢ１１１４９４６号に開示された掘穿機においては、リング状の空間を具えたローターと、半径方向に延在しているブレードとが設けられていて、これらが下部板に沿って作業ランプから土を取り出す。ローターの両側には２個の連続ベルトが間に空間をおいて設けられており、ローターの上部が土をローターから除く。逆ガイドバレルに設けられたこれらのベルトは下部板と連続しており、ローターによって摩擦駆動される。一時に一方のベルトのみを使って、ローターの回転方向に応じて機械のいずれかの側に土を排出する。運ばれた石や動かされた土がベルトを傷めないように、バレルは弾性材料からなるローラーで構成されている。
【０００７】
この発明は新規な概念と作用による遠心投排除粉砕機を提案するものであって、塊状物の選択的なスクリーンを必要とせず、従来の技術では達成し得ない距離にまで塊状物を投排除することのできるものである。
【０００８】
この発明の粉砕機は慣性輪を有しており、その少なくとも一面には固定マレットが直交して取り付けられており、これが収容されるフレームにはマレット側で開口しており、周縁には周縁チャンネル内に画定されて方向付けられた開口が形成されていて、この中にマレットが配置されている。
【０００９】
上記のマレットはシャベルとして機能して塊状物を遠心的に強制し、塊状物はフレームの横開口を通って入った後に周縁チャンネル内に落下する。そして塊状物は周縁開口に会合すると放射状に放出されるのである。
【００１０】
慣性輪の重量により塊状物は大きな力で牽引されて、マレットが射出作用をして長距離の放出を行うのである。
【００１１】
空気抵抗以外には制動作用が全くないので、この投排除はチャンネル導路なしでも周縁開口を通しても直接に行われ、これには全ての駆動力が使われて５０メートルを越える大きな距離に到達する。これに比べて方向付けられた出口導路を具えた従来の投排除機によった場合には５〜６メートルである。
【００１２】
放出出口開口が画定されているフレームの周縁は中心軸について回転可能であり、これにより放出出口開口を放射方向に選択的に指向でき、高さも変更可能である。これにより放出の調整が適宜に行える。
【００１３】
さらに投排除の設定は水平方向の可動性をもって設定でき、これにより水平領域中で投排除配列を選択的に調整でき、投排除のかかる配列と調整とにより広い区域に亙って投排除放出が達することができる。
【００１４】
投排除機の供給は適宜な手段により支持されたシュートを介して行うことができ、投排除されるべき塊状物を地面から砕いて掬い上げる。しかし投排除機は牽引車上に設けられた地面から塊状物を掬い上げる手段によっても構成できる。
【００１５】
慣性輪にはフレーム中に導入される投排除されるべき塊状物の粉砕を行う粉砕端を設けてもよい。これにより、サイズの点からして投排除チャンネルに入ることのできない大きなサイズの石などの寸法を減らして、投排除を容易とする。
【００１６】
これによりこの発明の投排除機はつぎのような場合に有効に応用される。斜面を覆ったり堤を作ったり運河を開いたり土地をならしたりする公共工事において、塊状物や土をジェットにより空気中に移動させる作業。農業や水路の開削や廃水路や路側開墾や土地のならしや 野火の消火などの事業において、塊状物を移動させる作業。森林や溝の開削や防火壁の構築や野火の消火において塊状物や土を移動させる作業。鉱業において塊状物や鉱石を移動させる作業などがその応用例である。
【００１７】
この発明の目的は、土や砂利や石などの塊状物の起動に用いる遠心投排除機を提供することにあり、強制シャベルとして機能する周縁に設けられたマレット２を具えた慣性輪１によりジェットにより空気中に放出するものである。
【００１８】
慣性輪１とマレット２とのセットはフレーム３に内蔵されており、回転駆動手段を連結する軸４上に設けられている。この実施例では、軸４はその外部に、駆動軸７上の同様な手段６と回転伝導を行う手段５、を有している。しかし軸４の回転駆動態様はこれに限定されるものではない。
【００１９】
慣性輪１には一面のみにマレット２を具えることもできるし二面に具えてもよい。このマレット２の配置に応じてフレーム３の前開口８も一面または二面配置となる。
【００２０】
前開口８のそれぞれの端部から周縁チャンネル１７が画定されており、図１に示すようにこれらの中にはマレット２が配置されている。
【００２１】
フレーム３は２個の前板３．１からなり、これらの間に周縁ケース３．２が収容されている。前板３．１はブッシュ３．３と締結ネジ３．４とにより相互に固定されている。周縁ケース３．２は横部材３．５により前板３．１に支持されている。これらの部材３．５は周縁ケース３．２の回転運動に対する滑りガイドを構成している。
【００２２】
周縁ケース３．２中には開口９が形成されていて、この外側には長手方向にラックが組み付けられていて、これによりモーターなどにより駆動される周縁ケース３．２の角運動が可能となり、開口９の選択的な配列が行われる。
【００２３】
この実施例では、図６に示すように図１の構成において上記の周縁ケース３．２は上と両面において開いたリング状であってもよい。しかし歪みに対する抵抗性を増すべく図７に示すようにボール状であってもよく、軸４を通すべく中央に開口を形成してある。
【００２４】
これにより、土や砂利や石などの塊状物を前開口８を介してフレーム３内に導入する際に慣性輪１に回転動作を付与する。塊状物が周縁チャンネル１７に入ると、マレット２により叩かれかつ押圧される。この動作により遠心衝撃が与えられて、塊状物が半径方向に放出され、周縁開口９に会合するとそこを通って投排除される。
【００２５】
周縁開口９に応じて投排除方向は高さが変化する。図４に示すように周縁ケース３．２の回転運動により該周縁開口９は角度１０内で選択的に調節可能である。これにより塊状物の投排除は所望の位置で行われる。塊状物の放出は自由に行われ、投排除を減殺する制動作用は全くない。これは摩擦の起き得る導路内に突起がないからである。
【００２６】
図１に示すようにフレーム３は垂直軸１２に結合して支持体１１に固定状に設置されている。これにより投排除の設定は水平方向に傾斜することができ、図５に示すように塊状物の水平領域１３内での選択的な配列が可能となる。水平ギアに支持させることによっても同様な水平方向配列が可能であり、これもこの発明の思想に含まれるものである。
【００２７】
垂直方向調節１０と水平方向調節１３との組合せにより、広い作業範囲に亙って塊状物の投排除を正確な地点に行うことができる。投排除のカバーする領域を変化させることができる。投排除機の構造において、マレット２を慣性輪１の片面のみに配置して、塊状物の入口８をフレーム３の片側のみに形成しても、同様の機能を得られる。また慣性輪１の両側にマレット２を配置し、塊状物の通る開口８をフレーム３の両側に配置してもよい。この場合周縁開口９も明らかに２個となり、広い範囲に亙って塊状物の放出をカバーできる。
【００２８】
また開口８などを通っての塊状物の導入は、従来の選択的スクリーンを必要とすることなく行われる。なぜならマレット２が開口８を通って入ってきた塊状物をフレーム３の内部に推進するからである。
【００２９】
にも拘わらず、慣性輪１上には粉砕端１４が設けられており、これらがマレット２と協働して塊状物を牽引し衝撃する。これにより大きなサイズの石やブロックの場合には該衝撃により小さなサイズに細分され、周縁投排除チャンネル１７に合うようになる。
【００３０】
フレーム３内部への塊状物の導入はシュートを用いて行うことができる。このシュートは機械の支持部により支持され、該支持部は地面から塊状物を破砕採集する手段と組み合わされている。別個のトラクターのシャベルによる供給シュートであってもよい。これにより支持部とは独立に、地面から塊状物が破砕収集される。
【００３１】
また投排除機には開口８と組み合せてスクレーパー１５を設けてもよい。またこのスクレーパー１５の下部から前方に突出してブレード１６を具えるようにする。
【００３２】
これにより投排除機は農耕トラクターなどにより対向位置する牽引型式にしてもよい。これにより低地に位置するときに、ブレード１６が地面に固定されて、スクレーパー１５を通って破砕された塊状物がフレーム３内に入って行く。これにより投排除と供給とを連続させることができる。
【図面の簡単な説明】
【図１】  この発明の投排除機の好ましき一例の断面側面図である。
【図２】  投排除機の慣性輪の前面図である。
【図３】  同投排除機の半径方向断面図である。
【図４】  投排除機の投排除方向の垂直方向角度の変化例を示す前面図である。
【図５】  投排除フレームの投排除方向の水平方向の変化例を示す図である。
【図６】  ２個の面において開口している投排除フレームの周縁ケース例を示す斜視図である。
【図７】  ボール状の投排除フレームの周縁ケース例を示す斜視図である。
【符号の説明】
１：      駆動輪
２：      マレット
３：      フレーム
７：      駆動軸
８：      前開口
９：      周縁開口
１０：    垂直角度
１１：    軸
１３：    水平領域
１７：    投排除チャンネル
【図１】
0004152594.tif 000002
【図２】
0004152594.tif 000003
【図３】
0004152594.tif 000004
【図４】
0004152594.tif 000005
【図５】
0004152594.tif 000006
【図６】
0004152594.tif 000007
【図７】
0004152594.tif 000008